【手続補正書】
【提出日】平成28年3月9日(2016.3.9)
【手続補正１】
【補正対象書類名】特許請求の範囲
【補正対象項目名】全文
【補正方法】変更
【補正の内容】
【特許請求の範囲】
【請求項１】
通信装置であって、
前記通信装置と外部装置とがアクセスポイントを介して無線通信を実行する第１の無線通信モードと、前記通信装置と外部装置とがアクセスポイントを介さずに無線通信を実行する第２の無線通信モードのいずれか一方で動作する無線通信手段と、
前記無線通信手段が前記第１の無線通信モードで動作している場合に、前記通信装置の通信状態に基づいて、前記無線通信手段を前記第１の無線通信モードから前記第２の無線通信モードへの切り替えることが可能であるか否かを判定する判定手段と、
前記無線通信手段を前記第１の無線通信モードから前記第２の無線通信モードへの切り替えることが可能であると前記判定手段によって判定された場合に、前記第１の無線通信モードから前記第２の無線通信モードへの切り替え指示をユーザが入力可能な状態で切り替え画面を表示し、前記無線通信手段を前記第１の無線通信モードから前記第２の無線通信モードへの切り替えることが可能ではないと前記判定手段によって判定された場合に、前記第１の無線通信モードから前記第２の無線通信モードへの切り替え指示をユーザが入力できない状態で切り替え画面を表示する表示手段と、
を有することを特徴とする通信装置。
【請求項２】
通信セッションが存在しない場合に、前記判定手段は、前記無線通信手段を前記第１の無線通信モードから前記第２の無線通信モードへの切り替えることが可能であると判定し、
通信セッションが存在する場合に、前記判定手段は、前記無線通信手段を前記第１の無線通信モードから前記第２の無線通信モードへの切り替えることが可能ではないと判定することを特徴とする請求項１に記載の通信装置。
【請求項３】
通信装置であって、
前記通信装置と外部装置とがアクセスポイントを介して無線通信を実行する第１の無線通信モードと、前記通信装置と外部装置とがアクセスポイントを介さずに無線通信を実行する第２の無線通信モードのいずれか一方で動作する無線通信手段と、
前記無線通信手段が前記第２の無線通信モードで動作している場合に、前記通信装置の通信状態に基づいて、前記無線通信手段を前記第２の無線通信モードから前記第１の無線通信モードへの切り替えることが可能であるか否かを判定する判定手段と、
前記無線通信手段を前記第２の無線通信モードから前記第１の無線通信モードへの切り替えることが可能であると前記判定手段によって判定された場合に、前記第２の無線通信モードから前記第１の無線通信モードへの切り替え指示をユーザが入力可能な状態で切り替え画面を表示し、前記無線通信手段を前記第２の無線通信モードから前記第１の無線通信モードへの切り替えることが可能ではないと前記判定手段によって判定された場合に、前記第２の無線通信モードから前記第１の無線通信モードへの切り替え指示をユーザが入力できない状態で切り替え画面を表示する表示手段と、
を有することを特徴とする通信装置。
【請求項４】
通信セッションが存在しない場合に、前記判定手段は、前記無線通信手段を前記第２の無線通信モードから前記第１の無線通信モードへの切り替えることが可能であると判定し、
通信セッションが存在する場合に、前記判定手段は、前記無線通信手段を前記第２の無線通信モードから前記第１の無線通信モードへの切り替えることが可能ではないと判定することを特徴とする請求項３に記載の通信装置。
【請求項５】
通信装置であって、
前記通信装置と外部装置とがアクセスポイントを介して無線通信を実行する第１の無線通信モードと、前記通信装置と外部装置とがアクセスポイントを介さずに無線通信を実行する第２の無線通信モードのいずれか一方で動作する無線通信手段と、
前記第１の無線通信モードから前記第２の無線通信モードへの切り替え指示をユーザから受け付けた場合に、前記通信装置の通信状態に基づいて、ユーザの確認が必要であるか否かを判定する判定手段と、
ユーザの確認が必要ではないと前記判定手段によって判定された場合に、ユーザに確認することなく、前記無線通信手段を前記第１の無線通信モードから前記第２の無線通信モードに切り替え、ユーザの確認が必要であると前記判定手段によって判定された場合に、ユーザに確認したうえで、前記無線通信手段を前記第１の無線通信モードから前記第２の無線通信モードに切り替える切替手段と、
を有することを特徴とする通信装置。
【請求項６】
通信装置であって、
前記通信装置と外部装置とがアクセスポイントを介して無線通信を実行する第１の無線通信モードと、前記通信装置と外部装置とがアクセスポイントを介さずに無線通信を実行する第２の無線通信モードのいずれか一方で動作する無線通信手段と、
前記第２の無線通信モードから前記第１の無線通信モードへの切り替え指示をユーザから受け付けた場合に、前記通信装置の通信状態に基づいて、ユーザの確認が必要であるか否かを判定する判定手段と、
ユーザの確認が必要ではないと前記判定手段によって判定された場合に、ユーザに確認することなく、前記無線通信手段を前記第２の無線通信モードから前記第１の無線通信モードに切り替え、ユーザの確認が必要であると前記判定手段によって判定された場合に、ユーザに確認したうえで、前記無線通信手段を前記第２の無線通信モードから前記第１の無線通信モードに切り替える切替手段と、
を有することを特徴とする通信装置。
【請求項７】
通信セッションが存在しない場合に、前記判定手段は、ユーザの確認が必要ではないと判定し、
通信セッションが存在する場合に、前記判定手段は、ユーザの確認が必要であると判定することを特徴とする請求項５又は６に記載の通信装置。
【請求項８】
前記第２の無線通信モードは、前記無線通信手段がＷｉ−Ｆｉダイレクトに基づく無線通信を実行する通信モードであることを特徴とする請求項１乃至７のいずれか１項に記載の通信装置。
【請求項９】
前記通信装置は、印刷を実行する印刷装置であることを特徴とする請求項１乃至８のいずれか１項に記載の通信装置。
【請求項１０】
通信装置を制御する制御方法であって、
無線通信手段が、前記通信装置と外部装置とがアクセスポイントを介して無線通信を実行する第１の無線通信モードと、前記通信装置と外部装置とがアクセスポイントを介さずに無線通信を実行する第２の無線通信モードのいずれか一方で動作する無線通信工程と、
判定手段が、前記無線通信工程が前記第１の無線通信モードで動作している場合に、前記通信装置の通信状態に基づいて、前記無線通信工程を前記第１の無線通信モードから前記第２の無線通信モードへの切り替えることが可能であるか否かを判定する判定工程と、
表示手段が、前記無線通信工程を前記第１の無線通信モードから前記第２の無線通信モードへの切り替えることが可能であると前記判定工程で判定された場合に、前記第１の無線通信モードから前記第２の無線通信モードへの切り替え指示をユーザが入力可能な状態で切り替え画面を表示し、前記無線通信工程を前記第１の無線通信モードから前記第２の無線通信モードへの切り替えることが可能ではないと前記判定工程で判定された場合に、前記第１の無線通信モードから前記第２の無線通信モードへの切り替え指示をユーザが入力できない状態で切り替え画面を表示する表示工程と、
を有することを特徴とする通信装置の制御方法。
【請求項１１】
通信装置を制御する制御方法であって、
無線通信手段が、前記通信装置と外部装置とがアクセスポイントを介して無線通信を実行する第１の無線通信モードと、前記通信装置と外部装置とがアクセスポイントを介さずに無線通信を実行する第２の無線通信モードのいずれか一方で動作する無線通信工程と、
判定手段が、前記無線通信工程が前記第２の無線通信モードで動作している場合に、前記通信装置の通信状態に基づいて、前記無線通信工程を前記第２の無線通信モードから前記第１の無線通信モードへの切り替えることが可能であるか否かを判定する判定工程と、
表示手段が、前記無線通信工程を前記第２の無線通信モードから前記第１の無線通信モードへの切り替えることが可能であると前記判定工程で判定された場合に、前記第２の無線通信モードから前記第１の無線通信モードへの切り替え指示をユーザが入力可能な状態で切り替え画面を表示し、前記無線通信工程を前記第２の無線通信モードから前記第１の無線通信モードへの切り替えることが可能ではないと前記判定工程で判定された場合に、前記第２の無線通信モードから前記第１の無線通信モードへの切り替え指示をユーザが入力できない状態で切り替え画面を表示する表示工程と、
を有することを特徴とする通信装置の制御方法。
【請求項１２】
通信装置を制御する制御方法であって、
無線通信手段が、前記通信装置と外部装置とがアクセスポイントを介して無線通信を実行する第１の無線通信モードと、前記通信装置と外部装置とがアクセスポイントを介さずに無線通信を実行する第２の無線通信モードのいずれか一方で動作する無線通信工程と、
判定手段が、前記第１の無線通信モードから前記第２の無線通信モードへの切り替え指示をユーザから受け付けた場合に、前記通信装置の通信状態に基づいて、ユーザの確認が必要であるか否かを判定する判定工程と、
切替手段が、ユーザの確認が必要ではないと前記判定工程で判定された場合に、ユーザに確認することなく、前記無線通信工程を前記第１の無線通信モードから前記第２の無線通信モードに切り替え、ユーザの確認が必要であると前記判定工程で判定された場合に、ユーザに確認したうえで、前記無線通信工程を前記第１の無線通信モードから前記第２の無線通信モードに切り替える切替工程と、
を有することを特徴とする通信装置の制御方法。
【請求項１３】
通信装置を制御する制御方法であって、
無線通信手段が、前記通信装置と外部装置とがアクセスポイントを介して無線通信を実行する第１の無線通信モードと、前記通信装置と外部装置とがアクセスポイントを介さずに無線通信を実行する第２の無線通信モードのいずれか一方で動作する無線通信工程と、
判定手段が、前記第２の無線通信モードから前記第１の無線通信モードへの切り替え指示をユーザから受け付けた場合に、前記通信装置の通信状態に基づいて、ユーザの確認が必要であるか否かを判定する判定工程と、
切替手段が、ユーザの確認が必要ではないと前記判定工程で判定された場合に、ユーザに確認することなく、前記無線通信工程を前記第２の無線通信モードから前記第１の無線通信モードに切り替え、ユーザの確認が必要であると前記判定工程で判定された場合に、ユーザに確認したうえで、前記無線通信工程を前記第２の無線通信モードから前記第１の無線通信モードに切り替える切替工程と、
を有することを特徴とする通信装置の制御方法。
【請求項１４】
コンピュータを、請求項１乃至９のいずれか１項に記載の通信装置の各手段として機能させるためのプログラム。
【手続補正２】
【補正対象書類名】明細書
【補正対象項目名】００１０
【補正方法】変更
【補正の内容】
【００１０】
本発明の特徴は、通信モードの切り替えを適切に行うことにある。
【手続補正３】
【補正対象書類名】明細書
【補正対象項目名】００１１
【補正方法】変更
【補正の内容】
【００１１】
上記目的を達成するために本発明の一態様に係る通信装置は以下のような構成を備える。即ち、
通信装置であって、
前記通信装置と外部装置とがアクセスポイントを介して無線通信を実行する第１の無線通信モードと、前記通信装置と外部装置とがアクセスポイントを介さずに無線通信を実行する第２の無線通信モードのいずれか一方で動作する無線通信手段と、
前記無線通信手段が前記第１の無線通信モードで動作している場合に、前記通信装置の通信状態に基づいて、前記無線通信手段を前記第１の無線通信モードから前記第２の無線通信モードへの切り替えることが可能であるか否かを判定する判定手段と、
前記無線通信手段を前記第１の無線通信モードから前記第２の無線通信モードへの切り替えることが可能であると前記判定手段によって判定された場合に、前記第１の無線通信モードから前記第２の無線通信モードへの切り替え指示をユーザが入力可能な状態で切り替え画面を表示し、前記無線通信手段を前記第１の無線通信モードから前記第２の無線通信モードへの切り替えることが可能ではないと前記判定手段によって判定された場合に、前記第１の無線通信モードから前記第２の無線通信モードへの切り替え指示をユーザが入力できない状態で切り替え画面を表示する表示手段と、を有することを特徴とする。
【手続補正４】
【補正対象書類名】明細書
【補正対象項目名】００１２
【補正方法】変更
【補正の内容】
【００１２】
本発明によれば、通信モードの切り替えを適切に行うことが可能となる。
【手続補正５】
【補正対象書類名】明細書
【補正対象項目名】００２７
【補正方法】変更
【補正の内容】
【００２７】
モード切替部３０２は、印刷装置１００の通信モードの切り替え処理を行う。通信モードには、有線ＬＡＮで通信を行うモード（有線モード）と、無線ＬＡＮで通信を行うモード（無線通信モード）が存在する。無線通信モードには更に、第一の無線通信モードと第二の無線通信モードが存在する。第一の無線通信モードは、印刷装置１００がサーバ１２０或いは携帯端末１１０と無線通信する際に、アクセスポイント１３０を介して無線通信を行うモードである。第二の無線通信モードは、例えば、印刷装置１００と携帯端末１１０とがＷｉ−Ｆｉダイレクト機能を用いて直接無線通信を行うモードである。第二の無線通信モードでは、印刷装置１００が携帯端末１１０と通信する際に、印刷装置１００及び携帯端末１１０のいずれかがアクセスポイント、他方がクライアントとして無線接続し、直接通信を行う。
【手続補正６】
【補正対象書類名】明細書
【補正対象項目名】００４８
【補正方法】変更
【補正の内容】
【００４８】
一方Ｓ５０６でＣＰＵ２０２は、「今すぐ切り替えを行う」８０１が選択されていないと判定するとＳ５０７に処理を進め、「通信完了まで切り替えを待機する」８０２が選択されたかどうかを判定する。「通信完了まで切り替えを待機する」８０２が選択された場合はＳ５０９に処理を進め、ＣＰＵ２０２は状態確認サブルーチンを再実行して、印刷装置１００の現在の通信状態を確認する。尚、ここで実行する状態確認サブルーチンはＳ５０２で実行した内容と同一である。そしてＳ５１０に進みＣＰＵ２０２は、印刷装置１００がモード切り替え可能な状態かどうかを判定し、通信モードの切り替えが不可の状態の場合はＳ５０９に戻り、以降、通信モードが切り替え可能な状態となるまで待ち続ける。こうして通信モードが切り替え可能な状態になったと判定するとＳ５１１に処理を進め、モード切り替えサブルーチンを実行する。そして前述したように、Ｓ５１２で通信モードの切り替えが完了した旨を、操作制御部３００を介して表示部４０３に表示して、この処理を終了する。
【手続補正７】
【補正対象書類名】明細書
【補正対象項目名】００５２
【補正方法】変更
【補正の内容】
【００５２】
一方Ｓ６０１で通信セッションを確立中のサービスが存在しないと判定した場合はＳ６０３に処理を進め、ＣＰＵ２０２は、記憶部３０１からモード情報を取得し、現在有効なモードが第二の無線通信モードかどうかを判定する。現在有効なモードが第二の無線通信モードでない、即ち、有線モードもしくは第一の無線通信モードであると判定した場合、ＣＰＵ２０２はＳ６０５に処理を進める。Ｓ６０５でＣＰＵ２０２は、通信モードの切り替えが可能な状態であるものと判断して、この処理を終了する。尚、Ｓ６０５でも、Ｓ６０２と同様に、この判断結果を示す情報をＲＡＭ２０３に記憶して、後続の処理で、このＲＡＭ２０３に記憶された情報を参照できるようにする。
【手続補正８】
【補正対象書類名】明細書
【補正対象項目名】００５３
【補正方法】変更
【補正の内容】
【００５３】
一方、Ｓ６０３でＣＰＵ２０２が、現在有効な通信モードが第二の無線通信モードであると判定した場合はＳ６０４に処理を進める。Ｓ６０４でＣＰＵ２０２は、第二の無線通信モードで印刷装置１００と直接無線接続中の携帯端末１１０などの通信端末が存在するか否かを第二の無線通信モード制御部３０６に問い合わせる。Ｓ６０４でＣＰＵ２０２が、接続中の通信端末が存在すると判定した場合は、ＣＰＵ２０２は通信モードの切り替えが不可の状態であると判定してＳ６０２に処理を進める。Ｓ６０２でＣＰＵ２０２は、通信モードの切り替えが不可な状態であると判断して、このサブルーチンの処理を終了する。
【手続補正９】
【補正対象書類名】明細書
【補正対象項目名】００５８
【補正方法】変更
【補正の内容】
【００５８】
一方、Ｓ７０２でＣＰＵ２０２が、第一の無線通信モードから第二の無線通信モード（もしくは、第二の無線通信モードから第一の無線通信モード）への切り替えと判定した場合はＳ７０９に処理を進める。Ｓ７０９でＣＰＵ２０２は、第一の無線通信モード制御部３０５（もしくは第二の無線通信モード制御部３０６）を停止する。ここで第一の無線通信モード制御部３０５を停止した場合は、印刷装置１００がクライアントとして接続中の、印刷装置１００及び携帯端末１１０とは異なるアクセスポイントとの間の無線接続が切断されることになる。一方、第二の無線通信モード制御部３０６を停止した場合は、携帯端末１１０との第二の無線通信モードを用いた無線接続が切断されることになる。そしてＣＰＵ２０２はＳ７１０に処理を進め、第二の無線通信モード制御部３０６（もしくは第一の無線通信モード制御部３０５）を起動し、いずれか選択された方の無線通信モードで通信端末と無線接続を行う。その後ＣＰＵ２０２はＳ７０７に処理を進め、通信制御部３０３を起動する。これにより、アプリケーション部３１０の各サービスは、切り替え後の新たな通信モードで、携帯端末１１０などの通信端末との通信が可能な状態となる。そしてＳ７０８で記憶部３０１に記憶するモード情報を最新の情報に更新して、このサブルーチンの処理を終了する。
【手続補正１０】
【補正対象書類名】明細書
【補正対象項目名】００７０
【補正方法】変更
【補正の内容】
【００７０】
［実施形態３］
次に、本発明に係る実施形態３について説明する。実施形態３では、図６に示す状態確認サブルーチンで、通信モードの切り替えが不可な状態であると判定した場合、それ以降から通信モードの切り替えが実行されるまでの期間、新たな通信セッションや第二の無線通信モードによる直接無線接続を禁止しても良い。尚、実施形態３に係る印刷装置１００の構成及びシステムは、前述の実施形態１と同様であるため、その説明を省略する。
【手続補正１１】
【補正対象書類名】明細書
【補正対象項目名】００７４
【補正方法】変更
【補正の内容】
【００７４】
一方Ｓ９０２でＣＰＵ２０２が、現在有効な通信モードが第二の無線通信モードであると判定した場合はＳ９０５に処理を進める。Ｓ９０５でＣＰＵ２０２は、第二の無線通信モードで印刷装置１００と直接無線接続中の携帯端末１１０などの通信端末が存在するかを第二の無線通信モード制御部３０６に問い合わせる。Ｓ９０５でＣＰＵ２０２が、接続中の通信端末が存在すると判定した場合はＳ９０６に処理を進め、第二の無線通信モード制御部３０６に対して、これ以降、新たな通信端末と第二の無線通信モードを用いた無線接続を禁止する指示を出す。そしてＳ９０７に進みＣＰＵ２０２は、通信モードの切り替えが不可な状態であるものと判定して、この処理を終了する。一方Ｓ９０５で、接続中の通信端末が存在しないと判定した場合はＳ９０３に処理を進め、通信モードの切り替えが可能な状態であると判定して、このサブルーチンの処理を終了する。
【手続補正１２】
【補正対象書類名】明細書
【補正対象項目名】０１００
【補正方法】変更
【補正の内容】
【０１００】
また、この際、操作制御部３００は、第二の無線通信モード制御部３０６に問い合わせを行い、現在、第二の無線通信モードで印刷装置１００と直接無線接続中の通信端末の数を確認する。そして、短時間の消灯を行う回数で、この直接無線接続中の通信端末の数をユーザに示すようにしても良い。